(57)【要約】【課題】印字性能に応じた多様な選択を可能とするインクジェット記録装置およびインクジェット記録装置にインクジェット記録ヘッドの印字性能に応じた多様な選択を可能とさせるインクジェット記録ヘッドを得る。【解決手段】インクジェット記録ヘッド本体１２０に設けられるメモリ２２では、予め異なる印字速度で検査された印字検査結果が記憶される。これにより、インクジェット記録ヘッド１２がインクジェットプリンタ本体１０Ａに装着された場合、インクジェット記録ヘッド１２に適した印字速度の記録モードをインクジェットプリンタ側に認識させることが可能となる。【選択図】      図１
2005028710.tif 000002
【特許請求の範囲】
【請求項１】
インク噴射手段を備えた記録ヘッド本体と、
前記記録ヘッド本体に設けられ、前記インク噴射手段からのインク噴射による異種の印字検査結果が記憶された記憶手段と、
を有することを特徴とするインクジェット記録ヘッド。
【請求項２】
前記印字検査結果が、異なる印字速度で検査された印字速度毎の合否又は印字速度毎の印字精度の良否であることを特徴とする請求項１記載のインクジェット記録ヘッド。
【請求項３】
インク噴射手段を備えた記録ヘッド本体と、
前記記録ヘッド本体に設けられ、前記インク噴射手段からのインク噴射による印字の適切な速度に関する情報が記憶された記憶手段と、
を有することを特徴とするインクジェット記録ヘッド。
【請求項４】
前記記憶手段に記憶された内容を表示する表示部を有することを特徴とする請求項１から３のいずれか一項に記載のインクジェット記録ヘッド。
【請求項５】
前記記録ヘッド本体に設けられ、インクジェット記録装置へ装着された場合に前記記憶手段を前記インクジェット記録装置側に電気的に連結するコネクタを有することを特徴とする請求項１から４のいずれか一項に記載のインクジェット記録ヘッド。
【請求項６】
請求項１から５のいずれか一項に記載のインクジェット記録ヘッドと、
前記インクジェット記録ヘッドが装着される記録装置本体と、
前記記録装置本体に設けられ、前記インクジェット記録ヘッドと電気的に連結され、前記記憶手段に記憶されたデータに基づいて前記インクジェット記録ヘッドに適した記録モードをディスプレイ上に表示する制御手段と、
を有することを特徴とするインクジェット記録装置。
【発明の詳細な説明】
【０００１】
【発明の属する技術分野】
本発明は、インクを噴射するインクジェット記録ヘッドおよびインクジェット記録装置に関する。
【０００２】
【従来の技術】
インクジェット記録ヘッドにおいては、往方向スキャンと復方向スキャンとで印字されるドットが位置ずれを起こさない製品を得るために、製造段階でテストパターンを印刷して位置ずれの程度を検査する場合がある（例えば、特許文献１参照）。
【０００３】
このようなテストパターンによる印字検査では、一般に特定印字速度（例えば、中程度の印字速度）のみについて検査をし、この検査に合格したものを製品としている。このため、このようなインクジェット記録ヘッドをインクジェット記録装置に装着した場合、検査をした特定印字速度の記録モード（例えば、標準モード）では、良好な印字結果が得られる。
【０００４】
上記の検査工程では検査されていない印字速度がインクジェット記録装置で選択されようとした場合には、一般的には、ユーザーがインクジェット記録ヘッドをインクジェット記録装置に装着した時などに、アライメントパターンを印刷し、事前に往方向スキャンと復方向スキャンとで印字されるドットの位置ずれ量を把握して、補正量を決定し、印字結果としてドットの位置ずれが生じないように印字タイミングや印字データを往復走査ごとに補正して印字される。
【０００５】
ところが、この補正量はすべての記録モードについての実際のずれ量から決定されるわけではない。代表的な記録モード（例えば標準モード）については、実際のずれ量を把握して補正量が決定されるが、他の記録モードについては代表的な記録モードでの補正量をもとに計算値または実験値などにより決定される。
【０００６】
実際の印字結果は、ヘッドごとのドロップ滴の飛翔速度のばらつき、主滴とサテライトとの飛翔速度差や噴射方向性の差、インク滴吐出ノズル面と紙との距離のばらつき、インクジェット記録ヘッドがスキャンすることによる空気流の変化がドロップ滴に与える影響など種々のばらつきが存在し、計算値または実験値などによる補正値で正確に補正されるとは限らないので、すべての記録モードについての的確な補正値は把握できず、印字速度の適切な選択を妨げることになる。また、異なる印字速度のうち最適な印字速度を自動的に選択させようとしても判断は不可能となる。
【０００７】
【特許文献１】
特開２００２−１１８６９公報
【０００８】
【発明が解決しようとする課題】
本発明は、上記事実を考慮して、印字性能に応じた多様な選択を可能とするインクジェット記録装置およびインクジェット記録装置にインクジェット記録ヘッドの印字性能に応じた多様な選択を可能とさせるインクジェット記録ヘッドを提供することを課題とする。
【０００９】
【課題を解決するための手段】
請求項１に記載する本発明のインクジェット記録ヘッドは、インク噴射手段を備えた記録ヘッド本体と、前記記録ヘッド本体に設けられ、前記インク噴射手段からのインク噴射による異種の印字検査結果が記憶された記憶手段と、を有することを特徴とする。
【００１０】
ここで、異種の印字検査結果とは、異なる検査条件（例えば、印字速度、印加電圧、噴射周波数等の条件）によりなされた複数の印字検査結果をいう。また、ここでの印字には、文字の形成の他に画像の形成も含まれる。
【００１１】
請求項１に記載する本発明のインクジェット記録ヘッドによれば、記録ヘッド本体は、インク噴射手段によりインクを噴射する。インク噴射による印字については、異種の印字が検査され、記憶手段に、この異種の印字検査結果が記憶される。このように、インクジェット記録ヘッドに異種の印字検査結果が記憶されることで、インクジェット記録ヘッドがインクジェット記録装置に装着された場合、インクジェット記録ヘッドに適した記録モードをインクジェット記録装置側に認識させることが可能となり、これにより印字性能に応じた多様な選択を実現することができる。
【００１２】
請求項２に記載する本発明のインクジェット記録ヘッドは、請求項１の構成において、前記印字検査結果が、異なる印字速度で検査された印字速度毎の合否又は印字速度毎の印字精度の良否であることを特徴とする。
【００１３】
請求項２に記載する本発明のインクジェット記録ヘッドによれば、印字検査結果が、異なる印字速度で検査された印字速度毎の合否又は印字速度毎の印字精度の良否となっている。このように、記憶手段が異なる印字速度で検査された印字速度毎の合否（例えば、往方向スキャンの印字と復方向スキャンの印字とにおける所定範囲内の記録位置ずれの有無等）又は、印字速度毎の印字精度の良否（例えば、往方向スキャンの印字と復方向スキャンの印字とにおける記録位置ずれの程度についての評価）を記憶することで、インクジェット記録ヘッドに適した印字速度の記録モードをインクジェット記録装置側に認識させることが可能となり、これにより印字性能に応じた多様な選択を実現することができる。
【００１４】
請求項３に記載する本発明のインクジェット記録ヘッドは、インク噴射手段を備えた記録ヘッド本体と、前記記録ヘッド本体に設けられ、前記インク噴射手段からのインク噴射による印字の適切な速度に関する情報が記憶された記憶手段と、を有することを特徴とする。
【００１５】
ここで、「印字の適切な速度」とは、対象となるインクジェット記録ヘッドが印字した場合に理想的な印字との差が所定範囲内となる印字速度をいい、「適切な速度に関する情報」は、例えば、適切な速度範囲内にある記録モードの情報や適切な速度の数値範囲（例えば、１２．５ｉｐｓ（ｉｎｃｈｅｓ  ｐｅｒ  ｓｅｃｏｎｄ）〜５０ｉｐｓ等）等である。また、ここでの印字には、文字の形成の他に画像の形成も含まれる。
【００１６】
請求項３に記載する本発明のインクジェット記録ヘッドによれば、記録ヘッド本体は、インク噴射手段によりインクを噴射する。インク噴射による印字については、印字に適切な速度があり、記憶手段に、この印字に適切な速度に関する情報が記憶される。このように、インクジェット記録ヘッドに印字の適切な速度に関する情報が記憶されることで、インクジェット記録ヘッドがインクジェット記録装置に装着された場合、インクジェット記録ヘッドが良好な印字をする速度に関する情報をインクジェット記録装置側に認識させる等が可能となり、これにより印字性能に応じた多様な選択を実現することができる。
【００１７】
請求項４に記載する本発明のインクジェット記録ヘッドは、請求項１から３のいずれか一項に記載の構成において、前記記憶手段に記憶された内容を表示する表示部を有することを特徴とする。
【００１８】
ここで、表示部は、記録ヘッド本体上に直接、又は、表示部材（例えば、紙、ラベル、テープ等）上に人間が目視で認識することができる表示情報（例えば、文字、絵柄、図柄、色等）を表示するものである。
【００１９】
請求項４に記載する本発明のインクジェット記録ヘッドによれば、表示部が、記憶手段に記憶された内容を表示するので、インクジェット記録ヘッドに適した記録モードを目視で確認や選択等ができる。
【００２０】
請求項５に記載する本発明のインクジェット記録ヘッドは、請求項１から４のいずれか一項に記載の構成において、前記記録ヘッド本体に設けられ、インクジェット記録装置へ装着された場合に前記記憶手段を前記インクジェット記録装置側に電気的に連結するコネクタを有することを特徴とする。
【００２１】
請求項５に記載する本発明のインクジェット記録ヘッドによれば、インクジェット記録装置へ装着された場合に、コネクタが記憶手段をインクジェット記録装置側に電気的に連結する。このようにすることで、記憶手段とインクジェット記録装置側との電気的な連結が容易かつ確実になる。
【００２２】
請求項６に記載する本発明のインクジェット記録装置は、請求項１から５のいずれか一項に記載のインクジェット記録ヘッドと、前記インクジェット記録ヘッドが装着される記録装置本体と、前記記録装置本体に設けられ、前記インクジェット記録ヘッドと電気的に連結され、前記記憶手段に記憶されたデータに基づいて前記インクジェット記録ヘッドに適した記録モードをディスプレイ上に表示する制御手段と、を有することを特徴とする。
【００２３】
請求項６に記載する本発明のインクジェット記録装置によれば、記録装置本体に対しては、インクジェット記録ヘッドが装着される。このインクジェット記録ヘッドと記録装置本体に設けられた制御手段とは、電気的に連結される。これにより、制御手段は、記憶手段に記憶されたデータに基づいてインクジェット記録ヘッドに適した記録モードをディスプレイ上に表示する等が可能となり、印字性能に応じた多様な選択を実現することができる。なお、インクジェット記録ヘッドに適した記録モードを表示するディスプレイは、インクジェット記録装置上に設けられるほか、インクジェット記録装置に接続されるものであってもよい。
【００２４】
【発明の実施の形態】
本発明におけるインクジェット記録ヘッドおよびインクジェット記録装置の実施の形態を図面に基づき説明する。
（インクジェット記録ヘッドおよびインクジェット記録装置の外観）
図２には、インクジェット記録装置としてのインクジェットプリンタ１０の斜視図が示されている。図中の矢印Ｍは、主走査方向を示し、矢印Ｓは、副走査方向を示す。図２に示すように、インクジェットプリンタ本体１０Ａは、インクジェット記録ヘッド１２が装着されたキャリッジ１４を備えている。キャリッジ１４は、インクジェットプリンタ本体１０Ａの図示しない左右フレームに架け渡されたシャフト１６にスライド可能に取り付けられている。
【００２５】
図１に示すように、キャリッジ１４には、プーリ１８に巻き掛けられたタイミングベルト２０が固定されている。キャリッジスキャンモータ１９（図３参照）によりプーリ１８が正転逆転されることで、キャリッジ１４がシャフト１６に沿って主走査方向（矢印Ｍ方向）に移動する。
【００２６】
キャリッジ１４は、主走査方向（矢印Ｍ方向）に直角な両側面が略Ｌ字状とされており、全体としては、略階段状の載置台となっている。タイミングベルト２０が固定された側は、矩形台状に突出しており、その頂部１４Ａには、左右一対の係止部１４Ｂが形成されている。係止部１４Ｂは、インクジェット記録ヘッド１２の図示しない係合部と係合できるように、窪み状になっている。頂部１４Ａより一段低い下段部１４Ｃの略中央部分は、矩形状の凹部１４Ｄとされており、インクジェット記録ヘッド１２の一部が嵌合できるようになっている。また、凹部１４Ｄには、矩形状の貫通部１４Ｅが形成され、インクジェット記録ヘッド１２が装着された場合に、インクジェット記録ヘッド１２が記録用紙Ｐに対面可能となる。
【００２７】
キャリッジ１４には、インクジェット記録ヘッド１２が、着脱可能に装着される。インクジェット記録ヘッド１２は、インクジェット記録ヘッド本体１２０と、記憶手段としてのメモリ２２と、で構成されている。インクジェット記録ヘッド本体１２０は、両側面が略Ｌ字状とされ、全体としては、直方体形状の一辺部付近が直方体面に垂直に切り欠かれている。下方への直方体状の突出部１２Ａは、キャリッジ凹部１４Ｄに嵌合される。このとき、キャリッジ頂部１４Ａに対面する段部１２Ｂの図示しない係合部がキャリッジ頂部１４Ａの係止部１４Ｂに係合する。天面部１２Ｃの図中にて右側には、上方に開口されたカートリッジ収容部１２Ｄが形成されている。カートリッジ収容部１２Ｄには、カートリッジ１３が交換可能に取り付けられる。カートリッジ１３は、その内部がインクタンクとなっており、図示しないインクが収容されている。
【００２８】
インクジェット記録ヘッド１２の内部にて、カートリッジ収納部１２Ｄの下方には、回路基板２４上にインク噴射手段としての吐出部材１２Ｅが設けられており、この吐出部材１２Ｅは、図示しない圧電素子等のインク噴射素子を備えている。吐出部材１２Ｅは、圧電素子の形状変化により、文字情報又は画像情報に応じてインク滴を吐出し、紙送り方向（矢印Ｓ１方向）へ搬送される記録用紙Ｐ上にドットを形成することで文字又は画像を印字していく。
【００２９】
記憶手段としてのメモリ（例えばＲＯＭ）２２は、インクジェット記録ヘッド１２内部の回路基板２４上に吐出部材１２Ｅに併設されて（図中では左側に）設けられている。このメモリ２２には、異なる印字速度で検査された印字検査の結果が記憶されている。この検査結果は、インクジェット記録ヘッド天面部１２Ｃに貼付されたラベル２３にも表示されている。
【００３０】
本実施形態の印字検査は、図示しない専用の検査装置で実行し、印字速度毎に、往方向スキャンの印字と復方向スキャンの印字とにおける所定範囲内の記録位置ずれの有無を検査しており、これを印字精度の情報としてメモリ２２に記憶させている。詳細は、後述する。
【００３１】
吐出部材１２Ｅおよびメモリ２２は、回路基板２４を介してコネクタ２６に接続されている。コネクタ２６は、インクジェット記録ヘッド１２の装着時にキャリッジ凹部１４Ｄ内の端子１４Ｆに接続され、帯状ワイヤ２８を介してインクジェットプリンタ１０側に電気的に連結される。
（メモリ（記憶手段）に記憶された印字検査結果）
次に、メモリ２２に記憶された印字検査結果について、説明する。
【００３２】
本実施例では、印字速度が異なる３つの記録モードで印字検査をしている。第１の記録モードは、高速モードであり、ヘッドスキャン方向の印字解像度が２００ｄｐｉ（Ｄｏｔｓ  ｐｅｒ  Ｉｎｃｈ）、インク滴の吐出周波数が１０ｋＨｚ、印字速度が５０ｉｐｓ（ｉｎｃｈｅｓ  ｐｅｒ  ｓｅｃｏｎｄ）である。第２の記録モードは、標準モードであり、ヘッドスキャン方向の印字解像度が４００ｄｐｉ、インク滴の吐出周波数が１０ｋＨｚ、印字速度が２５ｉｐｓである。第３の記録モードは、高画質モードであり、ヘッドスキャン方向の印字解像度が８００ｄｐｉ、インク滴の吐出周波数が１０ｋＨｚ、印字速度が１２．５ｉｐｓである。
【００３３】
ここで、インクジェット記録ヘッド１２の製造工程における印字検査の手順について、図５のフローチャートを参照しながら説明する。なお、印字検査は、図示しない専用の検査装置にインクジェット記録ヘッド１２を装着した状態で実行する。
【００３４】
ステップ１００では、第１の記録モードについて印字検査を実施する。印字検査では、印字速度を５０ｉｐｓとしてインクジェット記録ヘッド１２を往復走査させ、１ドット幅のラインパターンを形成させる。例えば、図４（Ａ）に示すように、往方向スキャンと復方向スキャンとにより一直線のラインが形成されれば、検査合格（ＯＫ）とする。一方、往復スキャンが、図４（Ｂ）又は図４（Ｃ）に示すように、階段状のラインが形成されたり、図４（Ｄ）又は図４（Ｅ）に示すように、間隔のあいた段違い平行状の２本のラインが形成されれば、検査不合格（ＮＧ）とする。ここで、検査の合否は、機械計測または作業者の目視検査により判定する。なお、図４中の１は、往方向スキャンで印字されるドットを示し、図４中の２は、復方向スキャンで印字されるドットを示している。
【００３５】
ステップ１０２では、ステップ１００で実施した第１の記録モードについての印字検査結果を検査装置に入力することで、検査結果（検査の合否）は、自動的にメモリ２２に記憶される。
【００３６】
ステップ１０４では、第２の記録モードについて印字検査を実施する。印字検査では、印字速度を２５ｉｐｓとし、他の点については、ステップ１００と同様の検査をする。ステップ１０６では、ステップ１０４で実施した第２の記録モードについての印字検査結果（検査の合否）をメモリ２２に記憶させる。
【００３７】
ステップ１０８では、第３の記録モードについて印字検査を実施する。印字検査では、印字速度を１２．５ｉｐｓとし、他の点については、ステップ１００と同様の検査をする。ステップ１１０では、ステップ１０８で実施した第３の記録モードについての印字検査結果（検査の合否）をメモリ２２に記憶させる。
【００３８】
ステップ１１２では、メモリ２２に記憶された第１〜第３の記録モードでの印字検査結果（検査の合否）を検査装置が読み出し、表１に示すような８つの検査ランクに自動選別する。検査ランクは、表１に示すように、ランク１からランク８までとし、例えば、第１〜第３の記録モードのすべてで検査合格（ＯＫ）の場合は、ランク１とする。インクジェット記録ヘッド１２には、検査ランクに対応した文字、記号等を刻印したり、検査ランクに対応した文字、記号、色等のラベル（シール）２３を貼付する等する。これにより、検査ランクがインクジェット記録ヘッド１２を目視することによっても認識できるようにする。
【００３９】
【表１】
2005028710.tif 000003
このように印字検査のされたインクジェット記録ヘッド１２は、検査ランクに対応した製品として提供される。すなわち、例えば、ランク１は、全モード対応型とし、ランク２は、標準・高速モード対応型とし、ランク５は、標準・高画質モード対応型とし、ランク４、６、７は、単一モード専用型としたうえで、製品として提供する。また、ランク３は、例えば、高速モード専用型、又は、高画質モード専用型の製品として提供する。
（適用可能な記録装置）
次に、表１に示した検査ランクと適用可能な記録装置との対応について説明する。
【００４０】
表１に示す記録装置１は、印字速度を高速、中速、低速にでき、第１〜第３の記録モードを備えた全モード対応タイプである。記録装置２は、印字速度を高速、中速にでき、第１、第２の記録モードを備えた標準・高速モード対応タイプである。記録装置３は、印字速度を中速、低速にでき、第２、第３の記録モードを備えた標準・高画質モード対応タイプである。記録装置４は、印字速度が高速のみ、中速のみ、又は、低速のみとされており、第１〜第３の記録モードのいずれかの記録モードを備えた単一モード専用タイプである。
【００４１】
ランク１のインクジェット記録ヘッド１２は、記録装置１用の記録ヘッドとして提供されるのが好ましいが、記録装置２、３、４用の記録ヘッドとしても適用できる。ランク２のインクジェット記録ヘッド１２は、記録装置２用の記録ヘッドとして提供されるのが好ましいが、記録装置４用の記録ヘッドとしても適用できる。ランク５のインクジェット記録ヘッド１２は、記録装置３用の記録ヘッドとして提供されるのが好ましいが、記録装置４用の記録ヘッドとしても適用できる。ランク３、４、６、７のインクジェット記録ヘッド１２は、記録装置４用の記録ヘッドとして提供される。
【００４２】
ユーザは、予め記録装置１〜４のいずれの装置が出力する目的に適しているかを選択する。
【００４３】
記録装置１を使用するユーザは、図３に示すように、インクジェットプリンタ１０にコンピュータ５０を介して接続されたＣＲＴディスプレイ５８等に表示されるプリンタドライバ画面等で、ユーザが出力する目的に最も適した記録モードを第１〜第３の記録モードから選択して印字する。
【００４４】
記録装置２、３を使用するユーザは、インクジェットプリンタ１０にコンピュータ５０を介して接続されたＣＲＴディスプレイ５８等に表示されるプリンタドライバ画面等で、ユーザが出力する目的に適した一方の記録モードを選択する。ここで、記録装置２では、第１、第２の記録モードから選択し、記録装置３では、第２、第３の記録モードから選択することになる。
【００４５】
記録装置４を使用するユーザは、記録装置４が単一モード専用であるため、予め定められた第１〜第３の記録モードのいずれかの記録モードで印字する。
【００４６】
なお、記録装置１にランク２〜ランク７のインクジェット記録ヘッド１２が装着された場合には、装着されたインクジェット記録ヘッド１２が検査合格した記録モードのみをＣＲＴディスプレイ５８のプリンタドライバ画面上に選択可能に表示させるのが好ましいが、例えば、検査結果を付記して全記録モードを選択可能に表示してもよい。ユーザは、インクジェット記録ヘッド１２に記憶された印字検査結果の情報に基づき、出力する目的に最も適した記録モードを選択して印字することになる。なお、ランク４、６、７のインクジェット記録ヘッド１２を装着する場合のように、検査合格した記録モードが１つしかない場合は、自動的にその記録モードで印字するのが好ましい。
【００４７】
また、記録装置１〜３において、検査合格した記録モードが複数であるインクジェット記録ヘッド１２が装着される場合にも、記録モードの選択は、ユーザの随時選択とせずに自動選択としてもよい。
（インクジェット記録装置等の概略構成）
次に、図３を参照して、インクジェットプリンタ１０の概略構成を更に詳細に説明する。
【００４８】
図３に示すように、インクジェットプリンタ１０は、コンピュータ５０に接続されて使用される。コンピュータ５０は、ＣＰＵ及びメモリ等を含む処理装置５２、ハードディスクドライブ（ＨＤＤ）、フロッピィーディスクドライブ（ＦＤＤ）、ＣＤ−ＲＯＭ等を含む補助記憶装置５４、及び各周辺機器インターフェイス５６によって構成されており、処理装置５２及び補助記憶装置５４はそれぞれ各周辺機器インターフェイス５６に接続されている。また、各周辺機器インターフェイス５６には、ＣＲＴディスプレイ５８、キーボード６０及びマウス６２が接続されている。
【００４９】
一方、インクジェットプリンタ１０はプリンタ制御部３０を含んで構成されており、プリンタ制御部３０は、ＣＰＵ３２、補正値情報メモリとしてのＥＥＰＲＯＭ３４、ＲＯＭ３６、ＲＡＭ３８、記録ヘッド駆動部（ドライバ）４０、データ読出部４２、モータ駆動部（ドライバ）４４、スイッチセンサインターフェイス４６及び通信インターフェイス４８によって構成されている。
【００５０】
ＥＥＰＲＯＭ３４、ＲＯＭ３６、ＲＡＭ３８、記録ヘッド駆動部４０、データ読出部４２、モータ駆動部４４、スイッチセンサインターフェイス４６及び通信インターフェイス４８は、それぞれＣＰＵ３２に接続されており、通信インターフェイス４８は、コンピュータ５０の各周辺機器インターフェイス５６に接続されている。
【００５１】
また、記録ヘッド駆動部４０は、コネクタ２６を介して回路基板２４に接続されており、吐出部材１２Ｅは、記録ヘッド駆動部４０の指令により回路基板２４を介して駆動されて印字が行われる。
【００５２】
データ読出部４２は、コネクタ２６を介して回路基板２４に接続されており、データ読出部４２が回路基板２４上のメモリ２２のデータを読み出す。
【００５３】
モータ駆動部４４には、紙送りを行うための紙送りモータ４５及び紙送り方向と直交する方向にインクジェット記録ヘッド１２を移動させるキャリッジスキャンモータ１９に接続されており、モータ駆動部４４の駆動により、それぞれのモータが駆動される。
【００５４】
また、紙の有無、紙位置等を検出する各種スイッチセンサ４７は、スイッチセンサインターフェイス４６に接続されており、各種スイッチセンサ４７より入力される情報は、スイッチセンサインターフェイス４６を介してＣＰＵ３２に入力される。
【００５５】
すなわち、コンピュータ５０の各周辺機器インターフェイス５６を介して印字の指示を含む印字情報がインクジェットプリンタ１０に送出されると、インクジェットプリンタ１０の通信インターフェイス４８を介して印字情報がインクジェットプリンタ１０に入力され、この印字情報に基づいて、プリンタ制御部３０の制御により印字が行われるように構成されている。なお、印字は吐出部材１２Ｅ、紙送りモータ４５、及びキャリッジスキャンモータ１９がプリンタ制御部３０により制御されることによって行われる。
（実施形態の作用）
次に、上記の実施形態の作用を説明する。
【００５６】
次に、インクジェットプリンタ１０のプリンタ制御部３０の処理の流れを図６のフローチャートを参照しながら説明する。
【００５７】
ます、ステップ１２０では、インクジェット記録ヘッド１２が、インクジェットプリンタ本体１０Ａに装着されているか否かを判断する。ステップ１２０で肯定判断の場合には、ステップ１２２へ進み、データ読出部４２がインクジェット記録ヘッド１２のメモリ２２から検査結果のデータを読み出す。次のステップ１２４では、メモリ２２から読み出したデータに基づき、装着されているインクジェット記録ヘッド１２の検査ランクを判定する。
【００５８】
ステップ１２６では、ユーザからの情報が必要であるか否か、すなわち、記録モードをその都度設定する必要があるか否か、又は、自動設定か否かを判断する。ステップ１２６で否定判断の場合には、自動設定であるので、記録モードを自動的に設定し、ステップ１３４へ進み、印字を実行する。ステップ１２６で肯定判断の場合には、ステップ１２８へ進み、各周辺機器インターフェイス５６を介してＣＲＴディスプレイ５８上に選択可能な記録モード（検査結果がＯＫの記録モード）を表示する。この表示の中からユーザがキーボード６０を操作して記録モードを選択することで、ユーザによる設定がされることになる。
【００５９】
ステップ１３０では、ユーザによる設定が行われたか否かを判断する。ステップ１３０で肯定判断の場合には、ステップ１３２へ進み、ユーザの設定情報をＲＡＭ３８に記憶し、ステップ１３４へ進んでユーザの設定情報に基づいた記録モードで印字を実行する。
【００６０】
以上、説明したように、図１に示すようなインクジェット記録ヘッド１２のメモリ２２が異なる印字速度で検査された検査結果の合否（往方向スキャンの印字と復方向スキャンの印字とにおける所定範囲内の記録位置ずれの有無）を記憶していることで、インクジェット記録ヘッド１２がインクジェットプリンタ本体１０Ａに装着された場合、インクジェット記録ヘッド１２に適した印字速度の記録モードをインクジェットプリンタ１０（図２参照）側に認識させることが可能となる。
【００６１】
なお、インクジェットプリンタ１０側が検査合格した記録モードを認識することで、インクジェットプリンタ１０やコンピュータ５０において、最適な印字速度を自動的に選択させようとする場合（例えば、選択可能な記録モード中から最も速い印字速度の記録モードを自動的に選択させる場合等）にも、検査合格した記録モードの中から選択することが可能となるので、適切な選択が可能となる。
【００６２】
また、図１に示すように、これらのインクジェット記録ヘッド１２には、検査ランクがラベル２３に表示されているので、作業者やユーザは、目視で検査ランクを確認したうえで使用目的に応じたインクジェット記録ヘッド１２を選択することができる。
【００６３】
さらに、インクジェット記録ヘッド１２の製造工程における印字検査において、標準モードでの検査結果が不合格であるインクジェット記録ヘッド１２であっても、他の記録モードで検査合格したもの（表１のランク３、４、７の場合）であれば、検査合格した記録モードに対応するインクジェット記録ヘッド１２として、すなわち、例えば、高速モード専用型、高画質モード専用型のインクジェット記録ヘッド１２として、提供することができるので、ユーザに対して印字性能に応じた多様な選択を可能とすると共に、製造の無駄を抑えることが可能となり、製造歩留まりが向上する。また、標準モードでの検査結果が合格で他の記録モードが不合格であるインクジェット記録ヘッド１２（表１のランク２、５、６の場合）については、全モード対応型としてではなく標準・高速モード対応型、標準・高画質モード対応型、標準モード専用型として提供することになるので、ユーザに適切な選択をさせることが可能となる。
【００６４】
なお、上記の実施の形態では、メモリ２２に異なる印字速度（異なる記録モード）で検査された検査結果の合否の情報が記憶されているが、印字速度に代えて他の異なる検査条件（例えば、印加電圧、噴射周波数、印加パルス等の条件）により検査された複数の印字検査結果が記憶されていてもよい。また、メモリ２２には、印字検査結果の合否に代えて印字の適切な速度に関する情報、又は記録モード毎の印字の精度に関する情報（例えば、精度良、精度不良）が記憶されていてもよい。印字の適切な速度に関する情報としては、例えば、印字に適切な速度範囲内にある記録モードの情報や印字に適切な速度の数値範囲（例えば、１２．５ｉｐｓ〜５０ｉｐｓ等）等がある。
【００６５】
また、上記の実施の形態では、インクジェット記録ヘッド１２に適した記録モードを表示するディスプレイは、コンピュータ５０に接続されるＣＲＴディスプレイ５８であるが、これに限定されず、例えば、インクジェットプリンタ１０上に設けられてもよい。
【００６６】
さらに、記録装置１（表１参照）にランク２〜７のインクジェット記録ヘッド１２を装着する場合、例えば、全記録モードを選択可能に表示し、検査不合格の記録モードが選択された場合には、ディスプレイ上に警告表示をするようにしてもよい。
【００６７】
さらにまた、インクジェットプリンタ１０が記録装置１〜４のように、予め全モード対応機、標準・高速モード対応機、標準・高画質モード対応機、単一モード専用機等として提供（出荷）されることが決められており、作業者が各機種に適合するインクジェット記録ヘッド１２を装着する必要がある場合、インクジェット記録ヘッド１２のメモリ２２に検査ランク（表１参照）が記憶されているので、機種に適合しないインクジェット記録ヘッド１２が作業者によって装着されても検知することができ、インクジェット記録ヘッド１２の誤装着を防止できる。
【００６８】
なお、上記の実施の形態では、表示部を形成するために、ラベル２３を貼付しているが、紙、テープ等の他の表示部材を貼付等してもよく、インクジェットプリンタ本体１０Ａに直接刻印等してもよい。また、表示部に表示する表示情報は、上記の実施の形態では文字の場合を例に挙げて説明したが、これに限定されず。絵柄、図柄、色等のように人間が目視で認識することができる表示情報であればよい。
【００６９】
【発明の効果】
以上説明したように、本発明のインクジェット記録装置によれば、印字性能に応じた多様な選択を可能にするという優れた効果を有する。また、本発明のインクジェット記録ヘッドによれば、インクジェット記録装置にインクジェット記録ヘッドの印字性能に応じた多様な選択を可能にさせることができるという優れた効果を有する。
【図面の簡単な説明】
【図１】本発明の実施形態に係るインクジェット記録ヘッドの装着部分を示す斜視図である。
【図２】本発明の実施形態に係るインクジェットプリンタの概略構成を示す外観斜視図である。
【図３】本発明の実施形態に係るインクジェットプリンタ等の概略構成を示すブロック図である。
【図４】インクジェットプリンタの往復印字におけるドットの着弾位置を示す模式図である。
（Ａ）往復印字により、一直線のラインが形成された場合である。
（Ｂ）往復印字により、階段状のラインが形成された場合である。
（Ｃ）往復印字により、階段状のラインが形成された場合である。
（Ｄ）往復印字により、間隔のあいた段違い平行状の２本のラインが形成された場合である。
（Ｅ）往復印字により、間隔のあいた段違い平行状の２本のラインが形成された場合である。
【図５】本発明の実施形態に係るインクジェット記録ヘッドの製造工程における印字検査の手順を示すフローチャートである。
【図６】本発明の実施形態に係るインクジェットプリンタの制御部の処理の流れを示すフローチャートである。
【符号の説明】
１０    インクジェットプリンタ（インクジェット記録装置）
１０Ａ  インクジェットプリンタ本体（記録装置本体）
１２    インクジェット記録ヘッド
１２０  インクジェット記録ヘッド本体（記録ヘッド本体）
１２Ｅ  吐出部材（インク噴射手段）
２２    メモリ（記憶手段）
２３    ラベル（表示部）
２６    コネクタ
３０    プリンタ制御部（制御手段）
【図１】
2005028710.tif 000004
【図２】
2005028710.tif 000005
【図３】
2005028710.tif 000006
【図４】
2005028710.tif 000007
【図５】
2005028710.tif 000008
【図６】
2005028710.tif 000009